【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
表示部に対する原稿の画像データの表示位置を特定するための設定情報を含む前記画像データの送信前にプレビュー表示する情報処理装置であって、
前記原稿の画像データを入力する入力手段と、
前記入力手段により入力される画像データから特定される前記設定情報を取得する設定情報取得手段と、
前記設定情報取得手段により取得された設定情報により特定される前記表示部に対する前記原稿の画像データの表示位置を用いて、前記表示部へ前記画像データをプレビュー表示する表示制御手段と、
を有することを特徴とする情報処理装置。
【請求項２】
前記設定情報取得手段によって取得した設定情報と、前記設定情報を含む画像データのページを示すページ情報とを対応付けて記憶する記憶手段を更に有し、
前記設定情報取得手段は、前記マスク処理手段により設定情報がマスク処理された後、前記画像データのページに対応する設定情報を前記記憶手段より取得することを特徴とする請求項１に記載の情報処理装置。
【請求項３】
前記設定情報取得手段により設定情報が取得された後、当該設定情報をマスクする処理を、当該設定情報を含むページの画像データに対して実行するマスク処理手段を更に有することを特徴とする請求項１または２に記載の情報処理装置。
【請求項４】
前記表示制御手段は、前記表示部の中心を前記表示位置として、前記表示部へ前記画像データをプレビュー表示することを特徴とする請求項１乃至３の何れか１項に記載の情報処理装置。
【請求項５】
前記設定情報は、表示倍率に係る設定情報を含んでおり、
前記表示制御手段は、前記表示倍率を用いて、前記表示部へ前記画像データを拡大あるいは縮小してプレビュー表示することを特等とする請求項１乃至４の何れか１項に記載の情報処理装置。
【請求項６】
前記設定情報は、前記画像データの編集に係る設定情報を含んでおり、
前記表示制御手段は、前記前記画像データの編集に係る設定情報を用いて、前記表示部へ前記画像データを編集してプレビュー表示することを特等とする請求項１乃至５の何れか１項に記載の情報処理装置。
【請求項７】
前記表示制御手段は、前記設定情報取得手段によって設定情報を取得した後、新たな前記設定情報を取得するまで、前記新たな設定情報の取得前に取得した設定情報を用いて、前記新たな設定情報の取得前に入力された画像データをプレビュー表示する請求項１乃至６の何れか１項に記載の情報処理装置。
【請求項８】
前記識別情報は、２次元バーコードであることを特徴とする請求項１乃至７の何れか１項に記載の情報処理装置。
【請求項９】
表示部に対する原稿の画像データの表示位置を特定するための設定情報を含む前記画像データの送信前にプレビュー表示する画像形成装置であって、
前記原稿の画像データを入力する入力手段と、
前記入力手段により入力される画像データから特定される前記設定情報を取得する設定情報取得手段と、
前記設定情報取得手段により取得された設定情報により特定される前記表示部に対する前記原稿の画像データの表示位置を用いて、前記表示部へ前記画像データをプレビュー表示する表示制御手段と、
を有することを特徴とする画像形成装置。
【請求項１０】
表示部に対する原稿の画像データの表示位置を特定するための設定情報を含む前記原稿を読取、前記画像データへ変換後、前記画像データを画像形成装置から送信する前に、前記画像データのプレビュー表示を情報処理装置において行う前記画像形成装置及び前記情報処理装置からなる情報処理システムであって、
前記情報処理装置は、
原稿の画像データを前記画像形成装置から入力する入力手段と、
前記入力手段により入力される画像データから特定される前記設定情報を取得する設定情報取得手段と、
前記設定情報取得手段により取得された設定情報により特定される前記表示部に対する前記原稿の画像データの表示位置を用いて、前記表示部へ前記画像データをプレビュー表示する表示制御手段と、
を有することを特徴とする情報処理システム。
【請求項１１】
情報処理装置において、表示部に対する前記原稿の画像データの表示位置を特定するための設定情報を含む前記画像データの送信前のプレビュー方法であって、
前記情報処理装置の入力手段は、原稿の画像データを入力する入力ステップと、
前記情報処理装置の設定情報取得手段は、前記入力ステップにより入力される画像データから特定される前記設定情報を取得する設定情報取得ステップと、
前記情報処理装置の表示制御手段は、前記設定情報取得ステップにより取得された設定情報により特定される前記表示部に対する前記原稿の画像データの表示位置を用いて、前記表示部へ前記画像データをプレビュー表示する表示制御ステップと、
を含むことを特徴とするプレビュー方法。
【請求項１２】
画像形成装置において、表示部に対する前記原稿の画像データの表示位置を特定するための設定情報を含む前記画像データの送信前のプレビュー方法であって、
前記画像形成装置の入力手段は、原稿の画像データを入力する入力ステップと、
前記画像形成装置の設定情報取得手段は、前記入力ステップにより入力される画像データから特定される前記設定情報を取得する設定情報取得ステップと、
前記画像形成装置の表示制御手段は、前記設定情報取得ステップにより取得された設定情報により特定される前記表示部に対する前記原稿の画像データの表示位置を用いて、前記表示部へ前記画像データをプレビュー表示する表示制御ステップと、
を含むことを特徴とするプレビュー方法。
【請求項１３】
表示部に対する原稿の画像データの表示位置を特定するための設定情報を含む原稿を読取、前記画像データへ変換後、前記画像データを画像形成装置から送信する前に、前記画像データのプレビュー表示を情報処理装置において行う前記画像形成装置及び前記情報処理装置からなる情報処理システムの制御方法であって、
前記情報処理装置は、
原稿の画像データを前記画像形成装置から入力する入力ステップと、
前記入力ステップにより入力される画像データから特定される前記設定情報を取得する設定情報取得ステップと、
前記設定情報取得ステップにより取得された設定情報により特定される前記表示部に対する前記原稿の画像データの表示位置を用いて、前記表示部へ前記画像データをプレビュー表示する表示制御ステップと、
を実行することを特徴とする情報処理システムの制御方法。
【請求項１４】
表示部に対する原稿の画像データの表示位置を特定するための設定情報を含む前記画像データの送信前にプレビュー表示する情報処理装置で読取可能なプログラムであって、
前記情報処理装置を、
前記原稿の画像データを入力する入力手段と、
前記入力手段により入力される画像データから特定される前記設定情報を取得する設定情報取得手段と、
前記設定情報取得手段により取得された設定情報により特定される前記表示部に対する前記原稿の画像データの表示位置を用いて、前記表示部へ前記画像データをプレビュー表示する表示制御手段として機能させることを特徴とするプログラム。
【請求項１５】
表示部に対する原稿の画像データの表示位置を特定するための設定情報を含む前記画像データの送信前にプレビュー表示する画像形成装置で読取可能なプログラムであって、
前記画像形成装置を、
原稿の画像データを入力する入力手段と、
前記入力手段により入力される画像データから特定される前記設定情報を取得する設定情報取得手段と、
前記設定情報取得手段により取得された設定情報により特定される前記表示部に対する前記原稿の画像データの表示位置を用いて、前記表示部へ前記画像データをプレビュー表示する表示制御手段として機能させることを特徴とするプログラム。
【請求項１６】
表示部に対する原稿の画像データの表示位置を特定するための設定情報を含む原稿を読取、前記画像データへ変換後、前記画像データを画像形成装置から送信する前に、前記画像データのプレビュー表示を情報処理装置において行う前記画像形成装置及び前記情報処理装置からなる情報処理システムの制御方法であって、
前記情報処理装置は、
原稿の画像データを前記画像形成装置から入力する入力手段と、
前記入力手段により入力される画像データから特定される前記設定情報を取得する設定情報取得手段と、
前記設定情報取得手段により取得された設定情報により特定される前記表示部に対する前記原稿の画像データの表示位置を用いて、前記表示部へ前記画像データをプレビュー表示する表示制御手段と、
を実行することを特徴とする情報処理システムの制御方法。
【手続補正２】
【補正対象書類名】明細書
【補正対象項目名】発明の名称
【補正方法】変更
【補正の内容】
【発明の名称】情報処理装置、画像形成装置、情報処理システム、プレビュー方法、情報処理システムの制御方法、プログラム
【手続補正３】
【補正対象書類名】明細書
【補正対象項目名】００１１
【補正方法】変更
【補正の内容】
【００１１】
本発明の情報処理装置は、表示部に対する原稿の画像データの表示位置を特定するための設定情報を含む前記画像データの送信前にプレビュー表示する情報処理装置であって、前記原稿の画像データを入力する入力手段と、前記入力手段により入力される画像データから特定される前記設定情報を取得する設定情報取得手段と、前記設定情報取得手段により取得された設定情報により特定される前記表示部に対する前記原稿の画像データの表示位置を用いて、前記表示部へ前記画像データをプレビュー表示する表示制御手段と、を有することを特徴とする。
本発明のプレビュー方法は、情報処理装置において、表示部に対する前記原稿の画像データの表示位置を特定するための設定情報を含む前記画像データの送信前のプレビュー方法であって、前記情報処理装置の入力手段は、原稿の画像データを入力する入力ステップと、前記情報処理装置の設定情報取得手段は、前記入力ステップにより入力される画像データから特定される前記設定情報を取得する設定情報取得ステップと、前記情報処理装置の表示制御手段は、前記設定情報取得ステップにより取得された設定情報により特定される前記表示部に対する前記原稿の画像データの表示位置を用いて、前記表示部へ前記画像データをプレビュー表示する表示制御ステップと、を含むことを特徴とする。
本発明のプログラムは、表示部に対する前記原稿の画像データの表示位置を特定するための設定情報を含む前記情報処理装置で読取可能なプログラムであって、前記情報処理装置を、原稿の画像データを入力する入力手段と、前記入力手段により入力される画像データから特定される前記設定情報を取得する設定情報取得手段と、前記設定情報取得手段により取得された設定情報により特定される前記表示部に対する前記原稿の画像データの表示位置を用いて、前記表示部へ前記画像データをプレビュー表示する表示制御手段と、して機能させることを特徴とする。
【手続補正４】
【補正対象書類名】明細書
【補正対象項目名】００７８
【補正方法】変更
【補正の内容】
【００７８】
ステップＳ６１３の処理には以下のようなメリットがある。例えば、識別子コードは一般的な規格であるバーコードやＱＲコード（登録商標）を利用することが可能である。これらの識別子コードの規格は統一されており、専門的な機材を必要とせず容易に読み取ることができる。しかし、その反面、従来のＦＡＸ送信方法では万一、この識別子コードに外部に漏洩したくない情報が含まれている場合には、利用者が原稿の目視確認を行い識別子コードが含まれていないことを確認してから原稿を送る必要がある、という課題が残っていた。ただし、目視確認では、利用者の思い込みや確認ミス等により、誤って識別子コードを含んだまま見落として送信してしまうこともあった。